(57)【要約】      （修正有）【課題】義歯床が上顎の内壁に密接することによって味覚が低減したり上顎内壁との間に食べ物かすが残るなどの不具合を解消する義歯装置を提供する。【解決手段】義歯装置１は、上顎側歯茎に嵌合する義歯床１０に人工歯１１が植設された上顎用義歯２と、下顎側歯茎に嵌合する義歯床１０に人工歯１１が植設された下顎用義歯３と、口腔奥部に配置される連結部１４を軸に上顎用義歯２と下顎用義歯３とを上下に弾性的に拡開自在に連結する連結金具１２と、を備える。上顎用義歯２及び下顎用義歯３は、平面視馬蹄形をなし、馬蹄形の中間部は空所４に形成されている。連結金具１２は、弾性線材１３からなり、張力により上顎用義歯２及び下顎用義歯３をそれぞれ上顎内壁及び下顎内壁に付勢する。【選択図】図１
0003231788.tif 000002
【実用新案登録請求の範囲】
【請求項１】
上顎側歯茎に嵌合する義歯床に人工歯が植設された上顎用義歯と、
下顎側歯茎に嵌合する義歯床に人工歯が植設された下顎用義歯と、
口腔奥部に配置される連結部を軸に前記上顎用義歯と前記下顎用義歯とを上下に弾性的に拡開自在に連結する連結金具と、
を備えたことを特徴とする義歯装置。
【請求項２】
前記連結金具は、前記上顎用義歯及び前記下顎用義歯を、それぞれ上顎及び下顎から脱落するのを防止する方向に付勢することを特徴とする請求項１に記載の義歯装置。
【請求項３】
前記上顎用義歯は、平面視馬蹄形をなし、馬蹄形の中間部は空所に形成されていることを特徴とする請求項１または請求項２に記載の義歯装置。
【請求項４】
前記連結金具は、弾性線材で形成されていることを特徴とする請求項１乃至請求項３のいずれかに記載の義歯装置。
【請求項５】
前記連結金具は、前記義歯床内に埋設されまたは該義歯床に形成された嵌入凹部に嵌入しあるいは該義歯床の外面に沿って係止して前記上顎用義歯及び前記下顎用義歯に固定されていることを特徴とする請求項１乃至請求項４のいずれかに記載の義歯装置。
【請求項６】
前記連結金具は、環状の前記弾性線材の左右両側それぞれにおける前記連結部で反転折り曲げられ一体に形成されていることを特徴とする請求項４または請求項５に記載の義歯装置。
【請求項７】
前記弾性線材における連結部は、コイル状に曲げられていることを特徴とする請求項４乃至請求項６のいずれかに記載の義歯装置。
【考案の詳細な説明】
【技術分野】
【０００１】
本願は、人の口腔内に着脱自在に装着する義歯装置に関するものである。
【背景技術】
【０００２】
人の上顎内部に着脱自在に装着される総入れ歯である上顎用総義歯は、上顎側歯茎に嵌合する義歯床に人工歯が植設された馬蹄形に形成されているとともに、馬蹄形の中間の空所部分を上顎内壁の全体に密接する板状の義歯床で塞いだものが多く使用されている。馬蹄形の中間の空所部分を塞ぐ板状の義歯床は、入れ歯安定剤が塗布されて上顎内壁面に貼着され、この安定剤による粘着力により上顎用総義歯は、上顎に保持されるとともに、上顎内壁との間に細かい食べかすが入いらないようにしている。
【０００３】
しかし、従来の上顎用総義歯は、馬蹄形の空所部分の義歯床に安定剤を塗布して上顎内壁に保持させているために味覚が半減し、食事の楽しみが大幅に減じてしまったり、安定剤により上顎内壁面に貼着されてはいても上顎用総義歯と上顎内壁面との間に食べ物かすが残ったりすることがある。また、安定剤が塗布されていることにより、口腔内が粘ついて不快感を覚え易い。更に、定期的に安定剤を拭き取って再塗布するなどの手入れが必要であった。
【０００４】
そこで、特許文献１では、口腔内の歯茎に嵌める馬蹄形状の歯茎覆着部と、歯茎覆着部の中間を塞ぐ上顎接合部とを一体化したものであって、上顎接合部の後部周縁に、上顎部内面に弾接する可撓性のシール用舌片を設けた上顎用入れ歯が提案されている。この上顎用入れ歯によれば、使用フィーリングが良く、日常管理の手数が簡素化するなどの効果が得られる。
【先行技術文献】
【特許文献】
【０００５】
【特許文献１】特許第２９６１３１５号公報
【考案の概要】
【考案が解決しようとする課題】
【０００６】
しかし、特許文献１に記載の上顎用入れ歯は、使用フィーリングの向上、日常管理の簡素化などの効果は得られるものの、馬蹄形状の歯茎覆着部の中間の空所は依然として上顎接合部で塞がれているために、飲食物が上顎内壁面に触れるのが妨げられてしまうので、従来の義歯と同様に、味覚が半減するなどの不具合を解消することはできなかった。
【０００７】
そこで、本考案は、義歯床が上顎の内壁に密接することによって味覚が低減したり上顎内壁との間に食べ物かすが残るなどの不具合を解消できる義歯装置の提供を課題とするものである。
【課題を解決するための手段】
【０００８】
請求項１の義歯装置は、上顎側歯茎に嵌合する義歯床に人工歯が植設された上顎用義歯と、下顎側歯茎に嵌合する義歯床に人工歯が植設された下顎用義歯と、口腔奥部に配置される連結部を軸に前記上顎用義歯と前記下顎用義歯とを上下に弾性的に拡開自在に連結する連結金具と、を備えている。
【０００９】
これにより、義歯装置は、請求項２に記載のように付勢力を有する連結金具で上顎用義歯と下顎用義歯とを連結して連結金具の上下方向への付勢力でこれらの義歯を上顎内壁及び下顎内壁に圧着させて上顎及び下顎から外れるのを防止することができる。このように弾性を有する連結金具によって上顎用義歯の馬蹄形の中間部に義歯床を設けなくても上顎用義歯が脱落するのが防止されることにより、請求項３に記載のように馬蹄形の中間部を空所に形成することができる。
【００１０】
請求項２の義歯装置は、連結金具が、上顎用義歯及び下顎用義歯を、それぞれ上顎及び下顎から脱落するのを防止する方向に付勢するものである。
請求項３の義歯装置は、上顎用義歯が、平面視馬蹄形をなし、馬蹄形の中間部は空所に形成されている。
【００１１】
請求項４の義歯装置は、連結金具が、弾性線材で形成されている。
これにより、簡易な構造で軽量かつコンパクトにそして安価に連結金具を形成することができる。
また、連結金具は、口腔内に装着したとき、上顎用義歯と下顎用義歯とを連結している箇所が、各義歯の左右両側の口腔奥部に位置し、頬内壁などとの隙間内にあるので、口腔内で邪魔にならず、飲食等において支障とならない。
【００１２】
請求項５の義歯装置は、連結金具が、義歯床内に埋設されまたは該義歯床に形成された嵌入凹部に嵌入しあるいは該義歯床の外面に沿って係止して上顎用義歯及び下顎用義歯に固定されたものである。
これにより、口腔内において連結金具が邪魔になることはなく、また、これを収容するための専用のスペースを必要としないから、義歯装置をコンパクトなものとすることができる。また、連結金具は義歯の外側に露出しないので、口腔内の見栄えが損なわれるのが防止される。
【００１３】
請求項６の義歯装置は、連結金具が、環状の弾性線材の左右両側それぞれにおける連結部で反転折り曲げられ一体に形成されたものである。
これにより、連結金具を簡易な構造でコンパクトに形成することができる。
【００１４】
請求項７の義歯装置は、弾性線材における連結部が、コイル状に曲げられて形成されている。
これにより、弾性線材の付勢力は増大するので、その分連結部を小さくすることができる。その結果、口腔奥部の狭い空間内に連結部が収容されることによる違和感を軽減またはなくすことができる。
【考案の効果】
【００１５】
本考案は、上顎用義歯と下顎用義歯とを上下に弾性的に拡開自在に連結する連結金具を備えているので、連結金具がこれらの義歯を上顎内壁及び下顎内壁に押圧して義歯が上顎及び下顎から外れるのが防止される。これにより、従来、上顎内壁に保持するために安定剤を塗布していた上顎用義歯における馬蹄形の中間部の義歯床を不要にしこの部分を空所にすることが可能となる。その結果、上顎内壁と舌との間に介在するものがなくなるので、飲食において味覚が減少するのを防止することができ、また、食べ物かすが義歯と上顎内壁との間に入り込んで残るのを防止することができる。更に、義歯使用による違和感を軽減できるとともに、日常手入れの手間を減らすこともできる。
【図面の簡単な説明】
【００１６】
【図１】本考案の実施形態の義歯装置を示す斜視図である。
【図２】図１の義歯装置の平面図である。
【図３】図１の義歯装置の側面図である。
【図４】図１の義歯装置の連結金具を示し、(a)は斜視図、(b)は側面図である。
【図５】図２のＡ−Ａ切断線による断面図である。
【図６】図１の義歯装置が閉じた状態を示す側面図である。
【図７】図４の別の連結金具を示し、(a)は斜視図、（ｂ)は側面図である。
【図８】図１の別の義歯装置を示す要部縦断面図である。
【図９】図８の連結金具を示す斜視図である。
【図１０】図１の更に別の義歯装置を示す要部縦断面図である。
【図１１】図４の更に別の連結部材を示す斜視図である。
【図１２】図１の更に別の連結金具の弾性線材を示す平面図である。
【考案を実施するための形態】
【００１７】
以下、本考案の実施形態の義歯装置を図に基づいて説明する。
図１乃至図６において、義歯装置１は、図５に示すように上顎側歯茎２０に嵌合して装着される上顎用義歯２と、下顎側歯茎２１に嵌合して装着される下顎用義歯３と、口腔奥部に配置される連結部１４を軸に上顎用義歯２と下顎用義歯３とを上下に弾性的に拡開自在に連結する連結金具１２と、を備えている。以下、各構成部材について説明する。
【００１８】
下顎用義歯３は、全体形状が平面視馬蹄形をなし、馬蹄形の中間部は空所４に形成されている。一方、上顎用義歯２も、下顎用義歯３と同様に、全体形状が平面視馬蹄形をなし、馬蹄形の中間部すなわち上顎内壁に面する部分は空所４に形成されている。各義歯は、図５に示すように、歯茎に嵌合する義歯床１０に人工歯１１が植設されており、義歯床１０は、歯茎の形状に合わせて断面略コ字状あるいは略Ｕ字状の嵌合凹部が形成されていて、嵌合凹部を圧入により歯茎に被せるだけで装着することができる。更に、義歯床１０には、本考案の特徴とする連結金具１２が挿通している。
【００１９】
連結金具１２は、金属製で弾性を有する弾性線材１３で形成されている。弾性線材１３は、断面円形に形成されている。但し、その断面形状は角形、楕円形等であってもよい。連結金具１２は、図４に示すように、環状に形成された弾性線材１３の左右両側のそれぞれにおける中間部分を反転折り曲げて一体に形成されている。折曲部分は、上顎用義歯２と下顎用義歯３とを上下に弾性的に拡開自在に連結する連結部１４を形成している。更に、連結部１４は、コイル状に曲げられており、義歯装置１を口腔内に装着したときには口腔奥部に配置される。なお、コイルの巻数は特に限定されない。
【００２０】
連結金具１２は、弾性を有する弾性線材１３で形成されているので、連結部１４を挟んだ上下両側部分１５は、張力により上顎用義歯２及び下顎用義歯３をそれぞれ上顎内壁及び下顎内壁に付勢する。また、連結部１４がコイル状に曲げられていることにより、付勢力は増大する。これにより、連結金具１２は、上顎用義歯２及び下顎用義歯３がそれぞれ上顎及び下顎から脱落するのを防止している。
【００２１】
弾性線材１３の図４に示す連結部１４を挟んだ上下両側部分１５は、図５に示す義歯床１０の幅方向中間部に馬蹄形の全長に至って埋設されて上顎用義歯２及び下顎用義歯３に固定されている。これにより、弾性線材１３は、各義歯において義歯床１０の内部に収容され、各義歯の外側に露出しないので、弾性線材１３によって口腔内の見栄えが損なわれるのが防止される。
【００２２】
弾性線材１３の張力は、義歯装置１が通常の使用において歯茎から脱落しない程度の大きさに調整される。具体的には、上顎用義歯２の義歯床１０は嵌合により上顎の歯茎に圧着、嵌合して保持されるのであるが、弾性線材１３の張力は、上顎用義歯２が自身の重量で上顎側歯茎２０から脱落しない程度に下方から押し上げられて歯茎に保持されることに加え、装着中何らかの拍子に上顎用義歯２が外れてしまうのを防止でき、一方で、必要時には簡単に取り外すことができるとともに、張力が強すぎて口が開き加減になってしまうのを防止できるよう、両者のバランスを考慮した大きさに設定される。
【００２３】
上記のように構成された義歯装置１は、装着前においては、図１及び図３に示すように、弾性線材１３の拡開方向に付勢する張力により前歯側１７が上下に僅かに開いた状態にある。義歯装置１を装着するときは、義歯装置１をそのまま口腔内に挿入し、上顎用義歯２の義歯床１０の嵌合凹部を上顎側歯茎２０に押し付けて被せるとともに下顎用義歯３の義歯床１０の嵌合凹部を下顎側歯茎２１に押し付けて被せるだけで簡単に口腔内に装着することができる。このとき、義歯装置１は、全体的に連結部１４のある挿入側先端部が先細りの形態になっているので、口腔内に挿入する際に格別支障をきたさない。
【００２４】
装着後は、通常は口は閉じた状態にあり、また、上顎用義歯２自身の重量などにより、義歯装置１は、図６に示すように、前歯側１７は閉じている。
なお、弾性線材１３の連結部１４は、義歯床１０からは露出してはいるものの口腔内の奥部に配置されるので、装着において外観上不都合を生じることはない。
【００２５】
次に、本実施形態の義歯装置１の作用を説明する。
本考案は、上顎用義歯２と下顎用義歯３とを上下に弾性的に拡開自在に連結する連結金具１２を備えているので、これらの義歯が上顎側歯茎２０及び下顎側歯茎２１に押圧されて上顎及び下顎から外れるのが防止される。これにより、従来、上顎用義歯の馬蹄形の中間部を塞いで義歯を保持するために安定剤が塗布されていた板状の義歯床を不要とし、この部分を空所にすることが可能となる。その結果、上顎内壁と舌との間に介在するものがなくなるので味覚が減少するのが防止され、また、食べ物かすが上顎用義歯２と上顎内壁との間に入り込んで残るのが防止される。更に、義歯装着による違和感が軽減されるとともに、義歯の日常手入れの手間が減少する。
【００２６】
そして、連結金具１２は、弾性線材１３で形成されているので、簡易な構造で軽量かつコンパクトにそして安価に形成することができる。
また、連結金具１２は、口腔内に装着したとき、上顎用義歯２と下顎用義歯３とを連結している連結部１４が、各義歯の左右両側の口腔奥部に位置し、頬内壁などとの隙間内にあるので、連結部１４が口腔内において邪魔にはならず、飲食等においても支障とはならない。
【００２７】
更に、弾性線材１３は義歯床１０内に埋設されていることによって義歯に固定されているので、口腔内において弾性線材１３が邪魔になることはなく、また、これを収容するための専用のスペースを義歯の外部に設ける必要もないから、義歯装置１はコンパクトなものとなる。
【００２８】
加えて、連結金具１２は、環状の弾性線材１３の左右両側それぞれにおける中間部分の連結部１４で反転折り曲げられ一体に形成されているので、簡易な構造でコンパクトに形成することができる。
【００２９】
また、弾性線材１３における連結部１４は、コイル状に曲げられているので、付勢力は増大し、各義歯の上顎及び下顎からの脱落防止力を高めることができる。これは、逆にいえば、付勢力が高められることにより、その分連結部１４を小さくすることができるので、口腔奥部の狭い空間内に連結部１４が収容されることによる違和感を軽減またはなくすことになる。
【００３０】
ところで、上記実施形態の弾性線材１３は、連結部１４をコイル状に曲げているが、所要の張力が得られれば、図７に示すように、コイル状に曲げずに単に折り返して曲げただけのものであってもよい。
【００３１】
また、上記実施形態の弾性線材１３は、義歯床１０内にその幅方向中央において埋設されているが、上顎用義歯２及び下顎用義歯３またはいずれか一方において、義歯床１０の幅方向の左右両側あるいはそのいずれか一方に埋設してもよく、弾性線材１３の埋設位置は特に問わない。なお、図８では、下顎用義歯３の弾性線材１３が義歯床１０の幅方向の左右両側に埋設されたものを示す。この場合の弾性線材１３は図９に示した形状になっている。
【００３２】
更に、弾性線材１３は、図１０に示すように、義歯床１０の幅方向中央に弾性線材１３が嵌入し得る嵌入凹部１６を馬蹄形の全長に至って形成し、ここに弾性線材１３を嵌入させることにより義歯に固定するものとしてもよい。この場合、嵌入凹部１６は、上顎用義歯２及び下顎用義歯３の上顎側歯茎２０及び下顎側歯茎２１への嵌め込みに支障にならない深さに形成する。
また、弾性線材１３は、義歯床１０の外面に沿って係止させて上顎用義歯２あるいは下顎用義歯３に固定するものとしてもよい。
【００３３】
加えて、弾性線材１３は、環状に形成しその左右両側それぞれにおける中間部分の連結部１４で反転折り曲げて一体に形成しているが、図１１に示すように、上顎側、下顎側それぞれの前歯側１７の部分を所定長切除し、前歯側１７を除いた義歯床１０の一部において固定したものとしてもよい。すなわち、この場合は、弾性線材１３は、環状に一体に形成されたものではなく、左右一対の２つがそれぞれ別個に一つの義歯装置１の義歯床１０に固定されたものとなる。
【００３４】
また、上記実施形態の義歯装置１は、上顎用義歯２、下顎用義歯３のいずれも総義歯であるものを示しているが、本発明を実施する場合は、健康歯が残存している部分義歯である場合にも同様に適用することができる。部分義歯の場合、人工歯１１は健康歯を除いて義歯床１０に植設される。部分義歯の場合、弾性線材１３は、例えば、図１２に示すように、局部的に健康歯２２の部分が健康歯２２の周囲を囲うように環状に形成されたものとし、この環状の内部に健康歯２２が嵌め込まれるものとすることができる。
【００３５】
更に、上記実施形態の連結金具１２は、弾性線材１３で形成しているが、これに限られるものではなく、細幅の弾性板材等で形成してもよい。
【符号の説明】
【００３６】
１  義歯装置                         １２  連結金具
２  上顎用義歯                       １３  弾性線材
３  下顎用義歯                       １４  連結部
４  空所                             １６  嵌入凹部
１０  義歯床                           ２０  上顎側歯茎
１１  人工歯                           ２１  下顎側歯茎
【図１】
0003231788.tif 000003
【図２】
0003231788.tif 000004
【図３】
0003231788.tif 000005
【図４】
0003231788.tif 000006
【図５】
0003231788.tif 000007
【図６】
0003231788.tif 000008
【図７】
0003231788.tif 000009
【図８】
0003231788.tif 000010
【図９】
0003231788.tif 000011
【図１０】
0003231788.tif 000012
【図１１】
0003231788.tif 000013
【図１２】
0003231788.tif 000014
【手続補正書】
【提出日】令和3年2月10日(2021.2.10)
【手続補正１】
【補正対象書類名】実用新案登録請求の範囲
【補正対象項目名】請求項６
【補正方法】変更
【補正の内容】
【請求項６】
前記連結金具は、環状の前記弾性線材の左右両側それぞれにおける前記連結部で反転折り曲げられ一体に形成されていることを特徴とする請求項４に記載の義歯装置。
【手続補正２】
【補正対象書類名】実用新案登録請求の範囲
【補正対象項目名】請求項７
【補正方法】変更
【補正の内容】
【請求項７】
前記弾性線材における連結部は、コイル状に曲げられていることを特徴とする請求項４または請求項６に記載の義歯装置。